(57)【特許請求の範囲】
【請求項１】
想定されるヘッドスピードが同一である複数本のウッドゴルフクラブから成るウッドゴルフクラブセットであって、
前記複数本から成るウッドゴルフクラブの各番手間のトウダウン量比を、ヘッドスピードを一定とする条件下で、０．９〜１．１に設定したウッドゴルフクラブセット。
【請求項２】
前記トウダウン量比を０．９〜１．１に設定するウッドゴルフクラブは、少なくとも１番手，３番手，４番手，５番手である請求項１に記載のウッドゴルフクラブセット。
【発明の詳細な説明】
【０００１】
【発明の属する技術分野】
この発明は、ウッドゴルフクラブセットに係わり、更に詳しくは同一のヘッドスピードで構成される複数本のウッドゴルフクラブ（例えば、番手＃１〜番手＃５または番手＃１〜番手＃７）からなるセットにおいて、ヘッドスピードに対応してトウダウン量比を統一して構成したウッドゴルフクラブセットに関するものである。
【０００２】
【従来の技術】
一般に、ゴルフクラブセットを購入する場合、例えば、ゴルファー自身のヘッドスピード（クラブヘッドがボールをヒットする直前、約１０cmの間のクラブヘッドのスピード：標準的男性ゴルファーのヘッドスピードは、約37〜40m/sec)に対応したものを選択する方法が行われている。
【０００３】
即ち、一般のゴルファーが、ウッドゴルフクラブを選択する手段として、外観及び形状は別として、例えば、最大飛距離を得るためのー要素としてのヘッドスピードを第１の基準とし、そしてヘッドスピードを最大限にいかした理想的弾道を得るための打ち出し角、及びボールの回転数を選択の手段としている。
そして、打ち出し角は、ヘッドスピードとクラブヘッドのロフト角によって決定され、約１０〜１６度が最も効率的であり、更にその打ち出し角で打ち出されたボールの回転数も２０００〜２８００ｒｐｍが最適な回転数となっている。
【０００４】
このようにウッドゴルフクラブセット（例えば、番手＃１〜番手＃５または番手＃１〜番手＃７の中から複数本を選択する）を購入する場合には、ヘッドスピードを一義的に考えて、ヘッドスピードが略同一の複数本のウッドゴルフクラブを購入してセットとするのが一般的であった。
然しながら、ゴルフクラブの選定要素として、上記のヘッドスピードを一義的に選定しても、必ずしも最大飛距離を得ることは難しく、また打球の安定した方向性を得ることが難しいことが本願発明者等の研究により判った。
【０００５】
即ち、最大飛距離及び打球の安定した方向性を得るためには、ヘッドスピードの他に、ヘッドスピードに対応した、所謂トウダウン現象と言う要素がゴルフクラブを選定するために重要であることが判った。
このトウダウン現象とは、ティーアップしたゴルフボールの中心に対して、クラブヘッドのフェース面中心を位置合わせし、次いでゴルフクラブをスウィングした時にクラブヘッドにかかる遠心力と重力との作用からクラブシャフトが撓んで、クラブヘッドのフェース面中心が、ゴルフボールの中心に対して内側に移動する現象であり、その当初の中心からの移動量をトウダウン量と言う。
【０００６】
【発明が解決しようとする課題】
然しながら、従来の複数本のゴルフクラブから成るウッドゴルフクラブセットは、その各番手が持っている、所謂トウダウン量はまちまちである。
このため、自分に適合するヘッドスピードのゴルフクラブやセットを購入しても、トウダウン量が一定でないため、クラブ番手毎に違和感が生じる上に、同じスタンスでスウィングすることが難しく、結果的には自分の目的とする飛距離や、安定した方向性を得ることが出来ないと言う問題があった。
【０００７】
なお、ここで同一スタンスとは、アドレス時にクラブフェース面の相似的同一部分でボールの位置合わせをすることを言う。
この発明の目的は、同一ヘッドスピードのウッドゴルフクラブをを購入する場合に、ヘッドスピードに対応した一定のトウダウン量のウッドゴルフクラブを選択して所有することが可能になり、ゴルフクラブをスウィングする際に番手間の違和感が小さく、しかもスタンスを同じにしてスウィングすることが出来、最大飛距離と、安定した方向性を常に得ることが可能となるウッドゴルフクラブセットを提供することにある。
【０００８】
【課題を解決するための手段】
この発明は上記目的を達成するため、想定されるヘッドスピードが同一である複数本のウッドゴルフクラブから成るウッドゴルフクラブセットであって、前記複数本から成るウッドゴルフクラブの各番手間のトウダウン量比を、ヘッドスピードを一定とする条件下で、０．９〜１．１に設定したことを要旨とするものである。
【０００９】
前記トウダウン量比を略一定に設定するウッドゴルフクラブは、少なくとも１番手，３番手，４番手，５番手であり、ウッドゴルフクラブの各番手間のトウダウン量比を、０．９〜１．１に設定するものである。
ここで、トウダウン量比（λij＝δi ／δj ）とは、同一ヘッドスピードの各番手のゴルフクラブをスウィングした時にクラブシャフトが撓んでクラブヘッドがプレーヤー側に引き寄せられた時の各番手間の移動距離の比を言う。
【００１０】
上記のように同一のヘッドスピードで構成される複数本のウッドゴルフクラブから成るウッドゴルフクラブセットで、ウッドゴルフクラブの各番手間のトウダウン量比を略一定に設定したことにより、ゴルフクラブをスウィングする際に番手間の違和感が小さく、しかもスタンスを同じにしてスウィングすることが出来、最大飛距離と、安定した方向性を常に得ることが可能となる。
【００１１】
【発明の実施の形態】
この発明において、トウダウン現象とは、例えば図２の記号ｅに示すように、クラブヘッド１の重心位置Ｇが、クラブシャフト２の軸線Ｘ−Ｘから一般に３０mm〜５０mm（ウッドゴルフクラブの場合）程度離れており、ゴルフクラブをスウィングした時に、クラブヘッド１にかかる遠心力と重力との作用からクラブシャフト２が図２の一点鎖線に示すように撓んでクラブヘッド１がプレーヤー側（図の矢印方向）に引き寄せようとする力が生ずる。
【００１２】
このような現象を、力学的に詳述すると以下のようになる。
図２のウッドゴルフクラブを参照して説明すると、ゴルフクラブを振ることによる遠心力（Ｆ）は、以下のように表わされる。
なお、以下の式における記号は、下記の意味を有するものである。
ｖ：ヘッドスピード
ｅ：シャフト軸線からのヘッド重心距離
ｒ：クラブ長さ
ｍ：ヘッド質量
Ｆ：ゴルフクラブを振ることによる遠心力
Ｍ：モーメント（Ｍ）
（ＥＩ）eq：シャフト等価曲げ剛性
Ｆ＝ｍｖ2 ／ｒ    ・・・・・（１）
この遠心力（Ｆ）と、ｅ（シャフト軸線からのヘッド重心距離）とにより、モーメント（Ｍ）が生ずる。
【００１３】
Ｍ＝ｅＦ＝ｅｍｖ2 ／ｒ  ・・・・・・・・・（２）
このモーメント（Ｍ）によってシャフトは曲げ変形を受けて撓む。この量を等価トウダウン量δeqとすると、以下のようになる。
【００１４】
【数１】
0004043069.tif 000002
【００１５】
然し、上記の式において、シャフトの曲げ剛性（EI）は、シャフト全長にわたる剛性分布の積分値を用いるのが良いが、ここではゴルフ業界で用いられる周知の３点曲げによる曲げ剛性（ＥＩ）eqを用いる。
【００１６】
またここで、３点曲げとは、スパン８００mmでシャフト単体をチップ先端から６５０mmの位置を加圧し、圧接子が５０mm変位したときの反力を測定した値を使用した。
【００１７】
このような現象の結果、実際にティーアップしたゴルフボールＱの中心に対して、クラブヘッド１のフェース面３の中心Ｐ（一般にスイートスポット）の位置は、アドレス位置よりプレーヤー側に所定距離Ｌ（一般に５mm〜３０mm程度）だけずれることになり、ティーアップしたゴルフボールＱの中心に対して、クラブヘッド１のフェース面３の中心Ｐは、トウ側にはずれて打球することになる。
【００１８】
このため、ゴルフボールＱの弾き出す方向が定まらず、プレーヤーが狙った目標方向に飛ばなかったり、また不安定となる現象が生じていた。
また、上記のトウダウン現象により、ゴルフボールＱを打球する位置が外れた場合には、クラブヘッド１の最大の反発特性が得られず、飛距離を損なう確率も増大すると言う問題があった。
【００１９】
例えば、本願発明等が実際に、新規に設計したゴルフクラブを評価するため、スウィングロボットのアームにゴルフクラブを装着し、アドレス時にゴルフボールＱをクラブヘッド１のフェース面３の中心Ｐに位置合わせしてスウィングすると、殆どゴルフボールＱは真っ直ぐに飛ばないことが多いことが判った。
そこで、本願発明者等は、上記のような現象を解決すべく、種々の検討や実験を行った結果、ゴルフボールＱが真っ直ぐに飛ばない原因の一つとして、上述したトウダウン現象であることの知見を得た。
【００２０】
【実施例１】
以下、添付図面に基づき、この発明の実施形態を説明する。
図１は、この発明を実施したウッドゴルフクラブセット（この実施形態では、番手＃１〜番手＃５を図示してあるが、番手＃１〜番手＃７の場合もある）の構成図を示し、番手＃１はドライバー，番手＃２はブラッシー，番手＃３はスプーン，番手＃４はバッフィー，番手＃５はクリークと一般に呼称されている。
【００２１】
上記ウッドゴルフクラブのクラブヘッド１１は、ロフト角α1 〜α5 がそれぞれ異なり、番手＃１のドライバーのロフト角α1 は一般に１０°〜１２°、番手＃２のブラッシーのロフト角α2 は一般に１３°〜１５°、番手＃３のスプーンのロフト角α3 は一般に１６°〜１８°、番手＃４のバッフィーのロフト角α4 は一般に１９°〜２１°、番手＃５のクリークのロフト角α5 は一般に２２°〜２４°に設定されて、順次ボールを上げやすく設計されている。
【００２２】
この発明では、同一のヘッドスピードで構成されるウッドゴルフクラブセットで、ウッドゴルフクラブの各番手間のトウダウン量比を略一定に設定することで、ゴルフクラブをスウィングする際にも番手間の違和感が小さく、しかもスタンスを同じにしてスウィングすることが出来、最大飛距離と、安定した方向性を常に得ることが可能となる。
【００２３】
次に、この発明の実施例，１，２，３，４，５，６と比較例１，２を、下記の表１に示し、またロボット試打試験による飛距離と方向性のバラツキを表２に示す。
ウッドゴルフクラブの場合
【００２４】
【表１】
0004043069.tif 000003
【００２５】
【表２】
0004043069.tif 000004
0004043069.tif 000005
【００２６】
なお、同一のヘッドスピードで構成される複数本のウッドゴルフクラブから成るウッドゴルフクラブセットにトウダウン量を表示しておくことで、ゴルフクラブセットを購入する場合にも便利でありる。
【００２７】
【発明の効果】
この発明は、上記のように想定されるヘッドスピードが同一である複数本のウッドゴルフクラブから成るウッドゴルフクラブセットであって、前記複数本から成るウッドゴルフクラブの各番手間のトウダウン量比を、ヘッドスピードを一定とする条件下で、０．９〜１．１に設定したことにより、ヘッドスピードに対応した一定のトウダウン量のウッドゴルフクラブを選択して所有することになり、ゴルフクラブをスウィングする際にも番手間の違和感が小さく、しかもスタンスを同じにしてスウィングすることが出来、最大飛距離と、安定した方向性を常に得ることが可能となる。
【図面の簡単な説明】
【図１】この発明の実施形態を示すウッドゴルフクラブセットの構成図である。
【図２】この発明のウッドゴルフクラブにおけるトウダウン量の説明図である。
【符号の説明】
１１  クラブヘッド                １２  ゴルフクラブシャフト
【図１】
0004043069.tif 000006
【図２】
0004043069.tif 000007